(57)【要約】ストレートドライバー（１００）の場合、インプラント補綴物スクリュー挿通孔入口はインプラントフィクスチャーの軸と同一線上にある。前記孔のこの位置のために、最終の補綴物には多くの問題点がある。かくして、本発明者は前記フリーアングル型ドライバー（３０１）を考案した。上顎骨前歯の場合、前記ネジ孔を補綴物の舌側表面（５１１）に移動することができる。本発明によれば、スクリューの締め付けや取り外しを容易に行える能力を持つ審美的で便利な補綴物を製作できる。さらに、本発明者は、咬合孔を最適な位置に移動することができるように、前記フリーアングル型インプラントドライバー（３０１）のための前記フリーアングルホール（孔）型アバットメント（３００）を考案した。前記現代の歯科用インプラント補綴物における多くの問題点を解決できることは画期的な進歩である。【選択図】図３
2009522038.tif 000002
【特許請求の範囲】
【請求項１】
インプラントに使用される前記フリーアングル型インプラントドライバー（３０１）であって、動力軸（３１２）のドライバーハンドル（３０８）又はハンドピース連結（１００２）と、前記ドライバーの作業軸線（３１３）に沿って前記ドライバーハンドルから回転動力を供給するトルク伝達部（３０９）と、作業を行う作業軸線のドライバーエッジ（３１０）と、を特色とするフリーアングル型インプラントドライバー。
【請求項２】
トルク伝達部を有する請求項１のフリーアングル型インプラントドライバーであって、動力軸（３１２）とドライバーの軸（３１３）との間の角度（３１１）が１〜８９度であり、ループ、ギア、配線、又はチューブの組み合わせからなり、その数が１〜１０であることを特徴とするフリーアングル型インプラントドライバー。
【請求項３】
その作用を動力軸（３１２）から前記ドライバーの軸（３１３）に導入する経路誘導装置（１０００）を有し、前記装置がチューブ又はワイヤーからなることを特徴とする請求項１のフリーアングル型インプラントドライバー（図１０、図１１、及び図１２）。
【発明の詳細な説明】
【技術分野】
【０００１】
歯科用インプラントは現代の歯学の重要な部分となっている。歯科用インプラントは３つのコンポーネント：骨組織に埋入される埋入部であるインプラントフィクスチャー（５０８）と、インプラントフィクスチャーとネジで連結されるインプラントアバットメント（５０６）と、インプラントアバットメントに取り付けられる歯牙形状の補綴物と、で構成される。
【０００２】
ほとんどの場合、インプラントアバットメントがインプラントフィクスチャーに固定されると、アバットメントスクリュー（５０７）はドライバーによってインプラントフィクスチャーにネジ止めされる。この場合、ドライバー本体の中心軸、インプラントアバットメントスクリューの中心軸、及びインプラントフィクスチャーの中心軸は全て一直線上に位置する。現時点では、２種類のドライバーが開発されている。その１つはストレートドライバー（１００）であり、他の１つはアングル（直角）ドライバーシステム（１０１）である。前記アングル（直角）ドライバーシステムは患者が口を大きく開くことができないときに有用である。このシステムは２つのコンポーネント：
ドライバーシャフト（１０６）と、ドライバーエッジ（１０５）と、を有する。ドライバーシャフトはそのドライバーハンドルと直角をなすが、アバットメントスクリュー（２０４）の内孔部分での形状は、ストレートドライバー（１００）と同じ直線型になっている。
【背景技術】
【０００３】
ストレートドライバーの場合、インプラント補綴物スクリュー挿通孔入口はインプラントフィクスチャーの軸の同一線上にある。従って、前上顎骨インプラントが歯槽骨の形状に応じて埋め込まれる必要がある。また、ネジ孔が口唇側（５００）にあるため、前記補綴物は審美的でない。
【０００４】
よって、審美的ニーズを満たすセメント固定式補綴物（６０１、６０２）が広く用いられている。しかしながら、ネジ緩みが起こる場合に備えて、前記ネジ孔にアクセスして該補綴物を作り直せるように、口唇側は穿孔されていなければならない。
【０００５】
また、その他の場合では、フィクスチャーと補綴物との間の角度が同じでないため、補綴物（６０２）はアングル型アバットメント（６１３）を必要とする。また、アングル型アバットメントの頬側縁は厚くなりすぎるので、金属色が口唇歯肉縁に現れてしまう。これもまた弱点である。
【０００６】
加えて、セメント固定式補綴物の場合、歯肉ポケットに残存するセメントが歯肉の健康にとって有害であり得る。
【０００７】
最近では、別の補綴物（６０３）が舌側スクリュー（６１６）とともに紹介されているが、小さすぎるので大きなトルクに耐えられない。よって、補綴物を製作する技術は困難かつ高価である。この舌側スクリューを堅く締め付けることにより横力が発生し得るので、時にはスクリューや舌側スクリューの破損及びインプラント失敗が起こり得る。
【０００８】
臼歯では、スクリュー固定式補綴物が広く使用されており、スクリューの締め付けや取り外しを非常に便利に行えるため、修理や歯垢の制御が容易であるが、この補綴物の孔位置は時として審美的でないので前歯で使い難く、臼歯ではさらに使い難い。
【０００９】
最近では、スクリュー・セメント固定式補綴物が紹介されており、臼歯に使用し易いが、前歯での使用は容易でなく、審美的でないという問題もある。
【００１０】
しかも、ＵＣＬＡ式補綴物にはスクリュー固定式補綴物と同じ問題がある。
【発明の開示】
【発明が解決しようとする課題】
【００１１】
ドライバーは、一定の角度（３１１）を保って回転しなくてはならず、要求されるトルクを支えるとともに、ドライバーエッジを容易に位置決めできる必要があり、特に、アバットメント内部チューブ（３０５）の回転軸を変えることができる必要がある。
【課題を解決するための手段】
【００１２】
フリーアングル型ドライバーはトルク伝達部を有し、ループ、ギア、ワイヤー、又はチューブの組み合わせからなる。
【００１３】
フリーアングル型インプラントドライバー（３０１）と使用される前記フリーアングルホール（孔）型アバットメント（３００）は、アバットメントスクリュー（６０６）の中心軸線から距離をおいて位置するスクリュー挿通孔入口（３０６）を持つ。
【発明の効果】
【００１４】
前記フリーアングル型ドライバー（３０１）及びフリーアングルホール（孔）型アバットメント（３００）が使用されると、上顎骨前歯の場合、前記ネジ孔を補綴物の舌側表面（５１１）に移動することができ、スクリューの締め付けや取り外しを容易に行える審美的で便利な補綴物を製作できる。
【００１５】
また、臼歯の場合、フリーアングルホール（孔）型アバットメントが使用されると、咬合孔を最適な位置に移動することができ、機能や外観美において多くのメリットがある。
【００１６】
また、本発明のために、スクリュー・セメント固定式補綴物において画期的な開発を遂げることも可能である。
【発明を実施するための最良の形態】
【００１７】
図３で図示したように、前記フリーアングル型インプラントドライバーは、その数が１〜１０個であり、ドライバー（３１０）の作業端部から１０ｍｍ以内に位置するトルク伝達部（３０９）を有する。
【００１８】
フリーアングル型インプラントドライバー（３０１）と使用される前記フリーアングルホール（孔）型アバットメント（３００）は、アバットメントスクリュー（６０６）の中心軸線から距離をおいて位置するスクリュー挿通孔入口（３０６）を持つ。
【実施例】
【００１９】
インプラントに使用される前記フリーアングル型インプラントドライバー（３０１）は、動力軸（３１２）のドライバーハンドル（３０８）又はハンドピース連結（１００２）と、前記ドライバーの軸（３１３）に沿って前記ドライバーハンドルから回転動力を供給するトルク伝達部（３０９）と、作業を行う作業軸線のドライバー部（３１０）と、からなる。
【００２０】
トルク伝達部はループ、ギア、ワイヤー、又はチューブの組み合わせからなる。
【００２１】
図３はループ型角度部分（３０９）を有するフリーアングル型ドライバーの図表である。前記ハンドルが回転される場合、前記ループは前記ドライバーの作業端部に沿ってそのトルクを伝達する。
【００２２】
図５は、ネジ孔（５０９）の誘導チューブを介して２つのループのトルク伝達部がスクリューの締め付けや取り外しを容易にする補綴物（５０１）の図表である。
【００２３】
作業端部（３１０）からトルク伝達部（３０９）までのフリーアングル型ドライバーの長さは、それらの部品が前記アバットメント内に位置する必要があるため、十分に短く設定されなくてはならない。
【００２４】
図７、図８は、現在使用されている多くのトルク伝達装置の図表である。
【００２５】
図９は、ドライバー及び補綴物の故障を防止する継手角制限装置（９００）の図表である。
【００２６】
さらに、図１０、図１１、図１２は、その作用を動力軸（３１２）から前記ドライバーの軸（３１３）に導入する経路誘導装置（１０００）の図表であり、この装置はチューブ又はワイヤーからなる。
【００２７】
前記フリーアングルホール（孔）型アバットメント（３００）は、アバットメントスクリュー孔に内部チューブの湾曲状頬側表面を有し、スクリューの締め付けや取り外しを容易にする能力を持たせることを目的とする。舌側表面はスクリューのために直線状になっている。スクリュー挿通孔入口（３０６）はアバットメントスクリュー（６０６）の中心軸線から離れて位置する。
【００２８】
従って、審美的で機能的な補綴物であり、スクリューの締め付けや取り外しを容易に行うことができる。
【００２９】
ＵＣＬＡ式補綴物でみられるように、審美的な頬側縁はフリーアングルホール（孔）型アバットメントにおいてもみられ、短い金属カラーがこのアバットメント（図４）においてみられる。
【００３０】
最後に、当発明では利便性と審美性が一体となる。
【産業上の利用可能性】
【００３１】
前記フリーアングル型ドライバー（３０１）及びフリーアングルホール（孔）型アバットメント（３００）が使用されると、上顎骨前歯の場合、前記ネジ孔を補綴物の舌側表面（５１１）に移動することができる。本発明によれば、スクリューの締め付けや取り外しを容易に行える能力を持つ審美的で便利な補綴物を製作できる。
【００３２】
また、臼歯の場合、フリーアングルホール（孔）型アバットメントを用いることで、咬合孔を最適な位置に移動することができ、機能や外観美において多くのメリットがある。
【図面の簡単な説明】
【００３３】
【図１】図１は、ストレートドライバーである。
【図２】図２は、インプラントアバットメントである。
【図３】図３は、フリーアングルホール（孔）型アバットメント及びフリーアングル型ドライバーである。
【図４】図４は、審美的フリーアングルホール（孔）型アバットメントである。
【図５】図５は、前記補綴物における、従来のストレートドライバーと使用されるアバットメントと、フリーアングル型ドライバーと使用されるフリーアングルホール（孔）型アバットメントと、の比較である。
【図６】図６は、前記補綴物における、フリーアングル型ドライバーと使用されるフリーアングルホール（孔）型アバットメントと、２種類の従来のストレートドライバーと使用されるセメント／舌側スクリュー固定式アバットメントと、の比較である。
【図７】図７は、１つの接合部を有する前記フリーアングル型ドライバーの実施例である。
【図８】図８は、２つの接合部を有する前記フリーアングル型ドライバーの実施例である。
【図９】図９は、２つの接合部を有する前記フリーアングル型ドライバーの実施例である。
【図１０】図１０は、経路誘導チューブを有する前記フリーアングル型ドライバーの実施例である。
【図１１】図１１は、経路誘導ロッドを有する前記フリーアングル型ドライバーの実施例である。
【図１２】図１２は、前記経路誘導ロッドとハンドピース連結を持つ前記フリーアングル型ドライバーの実施例である。
【符号の説明】
【００３４】
１００  ストレートドライバー
１０１  直角を有するハンドピース型ネジ締め装置
１０２  ドライバーハンドル
１０３  ドライバーシャフト
１０４  ドライバーエッジ
１０５  ドライバーエッジ
１０６  ドライバーシャフト
１０７  ベベルギア
１０８  動力回転軸
２００  セメント固定式ストレートアバットメント
２０１  セメント固定式湾曲状アバットメント
２０２  舌側スクリュー固定式アバットメント
２０３  アバットメントスクリュー挿通孔用
２０４  アバットメントスクリュー用内部チューブ
２０５  アバットメントのフィクスチャー側スクリュー挿通孔入口
２０６  アングル型アバットメントの頬側補綴物縁
２０７  アングル型アバットメントのスクリュー挿通孔入口
２０８  舌側スクリュー固定式アバットメントのスクリュー挿通孔入口
２０９  舌側スクリュー固定式アバットメントの舌側スクリュー挿通孔入口
３００  フリーアングルホール（孔）型アバットメント
３０１  フリーアングル型インプラントドライバー 
３０２  アバットメントの頬側縁高さ
３０３  アバットメントの頬側縁
３０４  アバットメントスクリュー孔の内部チューブ頬側表面
３０５  アバットメントスクリュー孔の内部チューブ
３０６  スクリュー挿通孔入口
３０７  アバットメントの舌側縁
３０８  ドライバーのハンドル
３０９  トルク伝達部
３１０  作業軸線のドライバー
３１１  ドライバーハンドルとスクリューとの間の角度
３１２  ドライバーハンドルの動力軸
３１３  インプラント、ドライバーの軸に固定されたスクリュー軸
４００  審美的フリーアングルホール（孔）型アバットメントの頬側補綴物縁厚さ
５００  スクリュー固定式ストレートアバットメント補綴物の実施例
５０１  フリーアングルホール（孔）型アバットメント及びフリーアングル型ドライバーを用いたインプラント補綴物の実施例
５０２  ドライバーハンドル
５０３  補綴物のスクリュー挿通孔入口
５０４  ドライバーシャフト
５０５  アバットメントのスクリュー挿通孔入口
５０６  スクリュー固定式ストレートアバットメント
５０７  アバットメントスクリュー
５０８  インプラントフィクスチャー
５０９  スクリュー挿通孔の内部誘導チューブ
５１０  前記内部チューブに動力伝達部を有するフリーアングル型ドライバー
５１１  補綴物の舌側スクリュー挿通孔入口
５１２  アバットメントの舌側スクリュー挿通孔入口
５１３  ドライバーハンドル
５１４  スクリュー間ドライバーハンドルの角度
６００  フリーアングルホール（孔）型アバットメントの実施例
６０１  セメント固定式ストレートアバットメントの実施例
６０２  セメント固定式アングル型アバットメントの実施例
６０３  舌側スクリュー固定式アバットメントの実施例
６０５  フリーアングル型インプラントドライバーの挿入経路
６０６  インプラントアバットメントスクリューの中心軸
６０７  スクリュー軸とスクリュー挿入経路との角度
６０８  フリーアングル型インプラントドライバーのハンドル軸
６０９  フリーアングル型インプラントドライバーのエッジ軸 
６１０  フリーアングル型インプラントドライバーのハンドルとエッジとの角度
６１１  フリーアングルホール（孔）型アバットメント
６１２  セメント固定式ストレートアバットメント
６１３  セメント固定式アングル型アバットメント
６１４  舌側スクリュー固定式アバットメント
６１５  セメントスペース
６１６  舌側スクリュー
６１７  舌側スクリューの挿入孔オリフィス
７００  フリーアングル型ドライバーの０度回転原点位置
７０１  フリーアングル型ドライバーの４５度回転位置
７０２  フリーアングル型ドライバーの９０度回転位置
７０３  回転リング間継手の動力伝達部
９００  継手角制限装置
１０００  経路誘導装置（チューブ）
１００１  フリーアングル型インプラントドライバー
１００２  ハンドピース連結
１１００  経路誘導ロッドの前容器
１１０１  ギア
１１０２  経路誘導ロッド
１１０３  経路誘導ロッドの埋栓
１１０４  経路誘導ロッドのキャッピング
１１０５  経路誘導ロッドの後容器
１２００  フリーアングル型インプラントドライバー
１２０１  経路誘導ロッド
１２０２  経路誘導ロッドの容器
１２０３  ハンドピース連結
【図１】
2009522038.tif 000003
【図２】
2009522038.tif 000004
【図３】
2009522038.tif 000005
【図４】
2009522038.tif 000006
【図５】
2009522038.tif 000007
【図６】
2009522038.tif 000008
【図７】
2009522038.tif 000009
【図８】
2009522038.tif 000010
【図９】
2009522038.tif 000011
【図１０】
2009522038.tif 000012
【図１１】
2009522038.tif 000013
【図１２】
2009522038.tif 000014
【国際調査報告】
2009522038.tif 000015
2009522038.tif 000016